(57)【要約】【課題】装置の寿命を的確に判断可能な電源装置を提供する。【解決手段】電源装置１００は、コントローラー基板１０と、第２記憶部５０とを備える。コントローラー基板１０は、電源回路２０、第１記憶部３０、および制御部４０を有する。電源回路２０は、コンデンサー２２を有する。第１記憶部３０には、コンデンサー寿命値ＤＣと、第１寿命値ＤＦと、第２寿命値ＤＨ１、ＤＨ２とが記憶されている。コンデンサー寿命値ＤＣは、制御部４０によって算出されたコンデンサー２２の寿命を示す。第１寿命値ＤＦは、制御部４０によって算出された第１記憶部３０の寿命を示す。第２寿命値ＤＨ１、ＤＨ２は、制御部４０によって算出された第２記憶部５０の寿命を示す。【選択図】図１
2016218095.tif 000002
【特許請求の範囲】
【請求項１】
コンデンサーを有する電源回路、第１記憶部、および制御部を有するコントローラー基板と、
第２記憶部と
を備え、
前記第１記憶部には、前記制御部によって算出された前記コンデンサーの寿命を示すコンデンサー寿命値と、前記制御部によって算出された前記第１記憶部の寿命を示す第１寿命値と、前記制御部によって算出された前記第２記憶部の寿命を示す第２寿命値とが記憶されている、電源装置。
【請求項２】
前記電源回路は、前記電源回路の周囲温度を測定する温度測定部をさらに有し、
前記制御部は、前記電源回路が動作する動作時間をカウントし、前記周囲温度に基づいて前記動作時間を換算動作時間に換算し、前記第１記憶部が前記換算動作時間を記憶するように前記第１記憶部を制御し、前記換算動作時間に基づいて前記コンデンサー寿命値を算出する、請求項１に記載の電源装置。
【請求項３】
前記制御部は、前記電源回路の動作を許可する動作許可信号を前記電源回路に出力し、
前記動作時間は、前記動作許可信号がアクティブを示す時間である、請求項２に記載の電源装置。
【請求項４】
前記制御部は、前記換算動作時間を積算する、請求項２または請求項３に記載の電源装置。
【請求項５】
複数の動作モードを有し、
前記制御部は、前記複数の動作モードの各々に対して、前記第１記憶部が前記換算動作時間を記憶するように前記第１記憶部を制御する、請求項２から請求項４のいずれか１項に記載の電源装置。
【請求項６】
複数の電源回路を備え、
前記制御部は、前記複数の電源回路の各々に対して前記コンデンサー寿命値を算出する、請求項１から請求項５のいずれか１項に記載の電源装置。
【請求項７】
前記制御部は、前記第１記憶部が書き換えられた書換回数を前記第１記憶部に記憶するように制御し、前記書換回数に基づいて、前記第１寿命値を算出する、請求項１から請求項６のいずれか１項に記載の電源装置。
【請求項８】
複数の第１記憶部を含み、
前記制御部は、前記複数の第１記憶部の各々に対して前記第１寿命値を算出する、請求項１から請求項７のいずれか１項に記載の電源装置。
【請求項９】
前記制御部は、前記第２記憶部に記憶されている故障予測情報を前記第１記憶部が記憶するように制御し、前記故障予測情報に基づいて前記第２寿命値を算出する、請求項１から請求項８のいずれか１項に記載の電源装置。
【請求項１０】
請求項１から請求項９のいずれか１項に記載の電源装置と、
被記録媒体に画像を形成する画像形成部と
を備える、画像形成装置。
【発明の詳細な説明】
【技術分野】
【０００１】
本発明は、電源装置および画像形成装置に関する。
【背景技術】
【０００２】
従来、市場より回収された電源装置を備えた装置（例えば、画像形成装置）のうち、市場での使用実績に応じて再利用できるものは分解、清掃、再調整、再組立のような工程を経て、リユース品として再出荷されることがある。電源装置の寿命を算出することは、リユース品として再出荷可能か否かを判断するうえで重要である。従来、画像形成装置において、画像形成の回数を積算し、使用可能回数から、実際に使用された回数を引くことによって残り使用可能回数を算出し、リユース品として再出荷可能か否かを判断している。
【０００３】
しかしながら、使用可能回数は悪条件下で使用された場合を想定して算出されるため、実際には使用可能であるにもかかわらず残り使用可能回数が少なく算出される可能性があった。そこで、特許文献１に記載の画像形成装置は、動作モード毎の機体内の気温の最大値と、電解コンデンサーの温度上昇量とを加算した温度に基づいて電界コンデンサーの寿命を算出している。
【先行技術文献】
【特許文献】
【０００４】
【特許文献１】特開２０１２−１８９７０７号公報
【発明の概要】
【発明が解決しようとする課題】
【０００５】
しかしながら、特許文献１に記載の画像形成装置は、電解コンデンサーの寿命しか考慮されていないため、電解コンデンサーの寿命が十分であったとしても、他の部品の寿命が十分で無い可能性があり、装置の寿命を的確に判断できない可能性があった。
【０００６】
本発明は上記課題に鑑みてなされたものであり、その目的は装置の寿命を的確に判断可能な電源装置および画像形成装置を提供することにある。
【課題を解決するための手段】
【０００７】
本発明に係る電源装置は、コントローラー基板と、第２記憶部とを備える。前記コントローラー基板は、電源回路、第１記憶部、および制御部を有する。前記電源回路は、コンデンサーを有する。前記第１記憶部には、コンデンサー寿命値と、第１寿命値と、第２寿命値とが記憶されている。前記コンデンサー寿命値は、前記制御部によって算出された前記コンデンサーの寿命を示す。前記第１寿命値は、前記制御部によって算出された前記第１記憶部の寿命を示す。前記第２寿命値は、前記制御部によって算出された前記第２記憶部の寿命を示す。
【０００８】
本発明に係る画像形成装置は、上記に記載の電源装置と、画像形成部とを備える。前記画像形成部は、被記録媒体に画像を形成する。
【発明の効果】
【０００９】
本発明によれば、装置の寿命を的確に判断できる。
【図面の簡単な説明】
【００１０】
【図１】本発明の実施形態１に係る電源装置のブロック図である。
【図２】第１記憶部に記憶されている寿命値を示す。
【図３】コンデンサー寿命値の算出方法を示すフローチャートである。
【図４】第１寿命値の算出方法を示すフローチャートである。
【図５】本発明の実施形態２に係る電源装置のブロック図である。
【図６】第１記憶部に記憶されている寿命値を示す。
【図７】本発明の実施形態３に係る画像形成装置を示す模式図である。
【発明を実施するための形態】
【００１１】
以下、本発明の実施形態について、図面を参照しながら説明する。なお、図中、同一または相当部分については同一の参照符号を付して説明を繰り返さない。
【００１２】
［実施形態１］
図１を参照して、本発明の実施形態１に係る電源装置１００について説明する。図１は、本発明の実施形態１に係る電源装置１００のブロック図である。
【００１３】
電源装置１００は、例えば、画像形成装置に搭載される。電源装置１００は、コントローラー基板１０と、第２記憶部５０とを備える。
【００１４】
コントローラー基板１０は、電源回路２０と、第１記憶部３０と、制御部４０とを有する。
【００１５】
電源回路２０は、例えば、ＤＣＤＣコンバーターである。電源回路２０には、電圧ＶＡが入力される。電源回路２０は、電圧ＶＡを電圧ＶＡの電圧値と異なる電圧値の電圧Ｖ１に変換する。例えば、電圧ＶＡの電圧値は１００Ｖであり、電圧Ｖ１の電圧値は５Ｖである。電源回路２０は、コンデンサー２２と温度測定部２４とを有する。コンデンサー２２は、例えば、電圧ＶＡを平滑化する。温度測定部２４は、電源回路２０の周囲温度ｔａを測定する。電源回路２０は、制御部４０と電気的に接続される。電源回路２０には、制御部４０から出力された動作許可信号ＥＮが入力される。動作許可信号ＥＮがアクティブ期間（例えば、Ｈｉｇｈレベルの期間）に、電源回路２０は動作する。
【００１６】
第１記憶部３０は、書き換え可能な不揮発性メモリーである。第１記憶部３０は、例えば、フラッシュメモリーである。第１記憶部３０は、不揮発性メモリーであるため、電源装置１００の電源がオフしても記憶された情報を保持する。第１記憶部３０には、コンデンサー寿命値と、第１寿命値と、第２寿命値とが記憶されている。コンデンサー寿命値は、制御部４０によって算出されたコンデンサー２２の寿命を示す。第１寿命値は、制御部４０によって算出された第１記憶部３０の寿命を示す。第２寿命値は、制御部４０によって算出された第２記憶部５０の寿命を示す。コンデンサー寿命値、第１寿命値および第２寿命値の算出の詳細については、図２を参照して後述する。
【００１７】
制御部４０は、例えば、ＣＰＵ（Ｃｅｎｔｒａｌ  Ｐｒｏｃｅｓｓｉｎｇ  Ｕｎｉｔ）である。制御部４０は、カウンター４２を有している。カウンター４２は、電源回路２０の動作時間を動作カウント値Ｃｏとしてカウントする。また、カウンター４２は、第１記憶部３０の書換回数Ｆをカウントする。制御部４０は、コンデンサー寿命値、第１寿命値および第２寿命値を算出する。
【００１８】
第２記憶部５０は、例えば、ＨＤＤ（Ｈａｒｄ  Ｄｉｓｋ  Ｄｒｉｖｅ）である。第２記憶部５０は、故障予測情報を記憶している。具体的には、第２記憶部５０は、第２記憶部５０のＳ．Ｍ．Ａ．Ｒ．Ｔ（Ｓｅｌｆ−Ｍｏｎｉｔｏｒｉｎｇ、Ａｎａｌｙｓｉｓ  ａｎｄ  Ｒｅｐｏｒｉｎｇ  Ｔｅｃｈｎｏｌｏｇｙ）機能で検査された検査項目を故障予測情報として記憶している。
【００１９】
図１〜図４を参照して本発明の実施形態１に係る電源装置１００の寿命の算出について説明する。図２は、第１記憶部３０に記憶されている寿命値を示す。図３は、コンデンサー寿命値ＤＣの算出方法を示すフローチャートである。図４は、第１寿命値ＤＦの算出方法を示すフローチャートである。
【００２０】
図２において、換算動作時間Ｃは、電源回路２０の動作時間を換算した時間を示す。コンデンサー寿命値ＤＣはコンデンサー２２の寿命値を示す。書換回数Ｆは、第１記憶部３０の書き換え回数を示す。第１寿命値ＤＦは、第１記憶部３０の寿命値、すなわちフラッシュメモリーの残り可能書き換え回数を示す。故障予測情報Ｈ１および故障予測情報Ｈ２は、第２記憶部５０の故障予測情報を示す。第２寿命値ＤＨ１および第２寿命値ＤＨ２は、第２記憶部５０の寿命値、すなわちＨＤＤの寿命値を示す。
【００２１】
まずは、コンデンサー寿命値ＤＣの算出について、図３を参照して説明する。ステップＳ１００〜ステップＳ１１４の処理が実行されることによってコンデンサー寿命値ＤＣが算出される。
【００２２】
ステップＳ１００：装置が起動する。処理はステップＳ１０２に進む。
【００２３】
ステップＳ１０２：制御部４０が、電源回路２０の動作許可信号ＥＮがｏｎ、すなわち動作許可信号ＥＮがアクティブになったことを確認する。処理はステップＳ１０４に進む。
【００２４】
ステップＳ１０４：電源回路２０が動作を開始するため、制御部４０は、電源回路２０の動作時間のカウントを開始する。処理はステップＳ１０６に進む。
【００２５】
ステップＳ１０６：制御部４０は、動作許可信号ＥＮがｏｎであるかｏｆｆであるかを判定する。制御部４０が動作許可信号ＥＮはｏｎであると判定した場合、すなわち制御部４０が動作許可信号ＥＮはアクティブであると判定した場合（ステップＳ１０６：ｏｎ）、処理はステップＳ１１０に進む。制御部４０が動作許可信号ＥＮはｏｆｆであると判定した場合、すなわち制御部４０が動作許可信号ＥＮは非アクティブであると判定した場合（ステップＳ１０６：ｏｆｆ）、処理はステップＳ１０８に進む。
【００２６】
ステップＳ１０８：制御部４０は、動作時間のカウントを停止する。処理はステップＳ１１２に進む。
【００２７】
ステップＳ１１０：制御部４０は、動作時間のカウントを継続する。処理はステップＳ１０６に戻る。動作許可信号ＥＮがｏｆｆになるまで、ステップＳ１０６およびステップＳ１１０が繰り返され動作時間の動作カウント値Ｃｏが増加する。
【００２８】
ステップＳ１１２：制御部４０は、動作時間の動作カウント値Ｃｏを基に演算を行う。具体的には、制御部４０は、以下の式１で換算動作時間Ｃを算出する。
【００２９】
Ｃ＝Ｃｏ×２^（（ｔａ−ｔ０）／１０））（式１）
【００３０】
換算動作時間Ｃは電源回路２０の動作時間を換算した時間である。動作カウント値Ｃｏは動作時間のカウント値である。定格温度ｔ０はコンデンサー２２の定格温度である。周囲温度ｔａは、温度測定部２４が測定した電源回路２０の周囲温度である。周囲温度ｔａが低くなるほど、換算動作時間Ｃは動作カウント値Ｃｏよりも短くなる。例えば、周囲温度ｔａがコンデンサー２２の定格温度よりも１０℃低い場合、換算動作時間Ｃは動作カウント値Ｃｏの２分の１倍となる。一方、周囲温度ｔａが高くなるほど、換算動作時間Ｃは動作カウント値Ｃｏよりも長くなる。例えば、周囲温度ｔａがコンデンサー２２の定格温度よりも１０℃高い場合、換算動作時間Ｃは動作カウント値Ｃｏの２倍となる。式１で演算することによって、動作した際の実測温度に基づいて、実際に消費された寿命値を算出することができる。
【００３１】
制御部４０は、換算動作時間Ｃを積算する。具体的には、制御部４０は、第１記憶部３０に記憶されている換算動作時間Ｃに、制御部４０が算出した換算動作時間Ｃを加える。このように、制御部４０は、電源回路２０が動作する度に、換算動作時間Ｃを積算する。
【００３２】
制御部４０は、コンデンサー２２の定格寿命値から換算動作時間Ｃを減算することによって、コンデンサー寿命値ＤＣを算出する。
【００３３】
ステップＳ１１４：制御部４０は、ステップＳ１１２において演算された結果を第１記憶部３０に書き込む。具体的には、換算動作時間Ｃおよびコンデンサー寿命値ＤＣを第１記憶部３０に記憶するように第１記憶部３０を制御する。
【００３４】
図３を参照して説明したように、電源回路２０が動作する度に、ステップＳ１００〜ステップＳ１１４の処理が実行され、第１記憶部３０に記憶されているコンデンサー寿命値ＤＣが更新される。
【００３５】
続いて、第１寿命値ＤＦの算出について、図４を参照して説明する。ステップＳ２００〜ステップＳ２０８の処理が実行されることによって第１寿命値ＤＦが算出される。
【００３６】
ステップＳ２００：装置が起動する。処理はステップＳ２０２に進む。
【００３７】
ステップＳ２０２：第１記憶部３０に書き換えが発生する。すなわち、フラッシュメモリーに書き換えが発生する。処理はステップＳ２０４に進む。
【００３８】
ステップＳ２０４：カウンター４２は書換回数Ｆを１つ加算する。処理はステップＳ２０６に進む。
【００３９】
ステップＳ２０６：制御部４０は、書換回数Ｆを基に演算を行う。具体的には、制御部４０は、フラッシュメモリーの定格書き換え回数から書換回数Ｆを減算することによって、第１寿命値ＤＦを算出する。
【００４０】
ステップＳ２０８：制御部４０は、ステップＳ２０６において演算された結果を第１記憶部３０に書き込む。具体的には、書換回数Ｆおよび第１寿命値ＤＦを第１記憶部３０に記憶するように第１記憶部３０を制御する。
【００４１】
図３を参照して説明したように、第１記憶部３０が書き換えられる度に、ステップＳ２００〜ステップＳ２０８の処理が実行され、第１記憶部３０に記憶されている第１寿命値ＤＦが更新される。
【００４２】
続いて、第２寿命値ＤＨ１および第２寿命値ＤＨ２の算出について説明する。制御部４０は、第２記憶部５０が記憶している故障予測情報を第１記憶部３０が記憶するように制御する。本実施形態では、制御部４０は積算通電時間（Ｐｏｗｅｒ  Ｏｎ  Ｈｏｕｒｓ  Ｃｏｕｎｔ）を故障予測情報Ｈ１として第１記憶部３０が記憶するように制御する。また、制御部４０は電源入り／切り回数（Ｐｏｗｅｒ  Ｃｙｃｌｅ  Ｃｏｕｎｔ）を故障予測情報Ｈ２として第１記憶部３０が記憶するように制御する。第２記憶部５０の電源がｏｆｆになる直前に、制御部４０は、第２記憶部５０から故障予測情報Ｈ１および故障予測情報Ｈ２を第１記憶部３０が記憶するように制御する。
【００４３】
制御部４０は、故障予測情報Ｈ１に基づいて第２寿命値ＤＨ１を算出する。具体的には、制御部４０は、第２記憶部５０の定格寿命値から故障予測情報Ｈ１を減算することによって、第２寿命値ＤＨ１を算出する。同様に、制御部４０は、故障予測情報Ｈ２に基づいて第２寿命値ＤＨ２を算出する。具体的には、制御部４０は、第２記憶部５０の定格寿命値から故障予測情報Ｈ２を減算することによって、第２寿命値ＤＨ２を算出する。
【００４４】
制御部４０は、算出した第２寿命値ＤＨ１および第２寿命値ＤＨ２を第１記憶部３０に記憶するように制御する。第２記憶部５０の電源がｏｆｆになる度に、第２寿命値ＤＨ１および第２寿命値ＤＨ２が更新される。
【００４５】
以上、図１〜図４を参照して説明したように、電源装置１００において、第１記憶部３０には、コンデンサー寿命値ＤＣと、第１寿命値ＤＦと、第２寿命値ＤＨ１と、第２寿命値ＤＨ２とが記憶されている。したがって、装置の寿命に影響する部品の寿命を認識することができ、装置の寿命を的確に判断可能である。
【００４６】
また、制御部４０は、温度測定部２４で測定された周囲温度Ｔａに基づいて、動作時間（動作カウント値Ｃｏ）を換算動作時間Ｃに換算する。また、制御部４０は、換算動作時間Ｃに基づいてコンデンサー寿命値ＤＣを算出する。したがって、動作した際の実測温度に基づいて、コンデンサー寿命値ＤＣを算出することができる。その結果、的確にコンデンサー寿命値ＤＣを算出することができる。
【００４７】
［実施形態２］
図５を参照して、本発明の実施形態２に係る電源装置１００について説明する。図５は、本発明の実施形態２に係る電源装置１００のブロック図である。電源装置１００のコントローラー基板１０が、電源回路２０および第１記憶部３０を複数備える点を除いて、実施形態１に係る電源装置１００と同様な構成を有するため、重複部分については説明を省略する。
【００４８】
電源装置１００は、コントローラー基板１０と、第２記憶部５０とを備える。コントローラー基板１０は、複数の電源回路と、複数の第１記憶部と、制御部４０とを有する。複数の電源回路は、電源回路２０ａと、電源回路２０ｂと、電源回路２０ｃとを含む。複数の第１記憶部は、第１記憶部３０ａと、第１記憶部３０ｂと、第１記憶部３０ｃとを含む。電源回路２０ａと、電源回路２０ｂと、電源回路２０ｃとは異なる位置に配置される。
【００４９】
電源回路２０ａには、電圧ＶＡが入力される。電源回路２０は、電圧ＶＡを電圧ＶＡの電圧値とは異なる電圧値の電圧Ｖ１に変換する。例えば、電圧ＶＡの電圧値は１００Ｖであり、電圧Ｖ１の電圧値は５Ｖである。電源回路２０ａには、制御部４０から出力された動作許可信号ＥＮ１が入力される。
【００５０】
電源回路２０ｂには、電圧ＶＡが入力される。電源回路２０は、電圧ＶＡを電圧ＶＡの電圧値とは異なる電圧値の電圧Ｖ２に変換する。例えば、電圧ＶＡの電圧値は１００Ｖであり、電圧Ｖ２の電圧値は３．３Ｖである。電源回路２０ｂには、制御部４０から出力された動作許可信号ＥＮ２が入力される。
【００５１】
電源回路２０ｃには、電圧ＶＡが入力される。電源回路２０は、電圧ＶＡを電圧ＶＡの電圧値とは異なる電圧値の電圧Ｖ３に変換する。例えば、電圧ＶＡの電圧値は１００Ｖであり、電圧Ｖ３の電圧値は１．８Ｖである。電源回路２０ｃには、制御部４０から出力された動作許可信号ＥＮ３が入力される。
【００５２】
電源装置１００は、複数の動作モードを有する。複数の動作モードは、通常モード、第１スリープモードおよび第２スリープモードを含む。第１スリープモードは、通常モードよりも動作する電源回路２０の数を少なくするモードである。第２スリープモードは、第１スリープモードよりも動作する電源回路２０の数をさらに少なくするモードである。本実施形態では、通常モードでは、電源回路２０ａ、電源回路２０ｂおよび電源回路２０ｃが動作する。第１スリープモードでは、電源回路２０ａおよび電源回路２０ｂが動作する。第２スリープモードでは、電源回路２０ａのみが動作する。
【００５３】
図５および図６を参照して本発明の実施形態２に係る電源装置１００の寿命の算出について説明する。図６は、第１記憶部３０ａに記憶されている寿命値を示す。
【００５４】
図６において、換算動作時間Ｃａ１、Ｃａ２、Ｃａ３は、それぞれ、通常モード時、第１スリープモード時、第２スリープモード時における電源回路２０ａの換算動作時間を示す。同様に、換算動作時間Ｃｂ１、Ｃｂ２、Ｃｂ３は、それぞれ、通常モード時、第１スリープモード時、第２スリープモード時における電源回路２０ｂの換算動作時間を示す。同様に、換算動作時間Ｃｃ１、Ｃｃ２、Ｃｃ３は、それぞれ、通常モード時、第１スリープモード時、第２スリープモード時における電源回路２０ｃの換算動作時間を示す。
【００５５】
合算値Ｃ１は、換算動作時間Ｃａ１、Ｃａ２およびＣａ３の合算値を示す。同様に、合算値Ｃ２は、換算動作時間Ｃｂ１、Ｃｂ２およびＣｂ３の合算値を示す。同様に、合算値Ｃ３は、換算動作時間Ｃｃ１、Ｃｃ２およびＣｃ３の合算値を示す。
【００５６】
コンデンサー寿命値ＤＣ１は電源回路２０ａのコンデンサー２２ａの寿命値を示す。コンデンサー寿命値ＤＣ２は電源回路２０ｂのコンデンサー２２ｂの寿命値を示す。コンデンサー寿命値ＤＣ３は電源回路２０ｃのコンデンサー２２ｃの寿命値を示す。
【００５７】
書換回数Ｆａ１、Ｆａ２、Ｆａ３は、それぞれ、通常モード時、第１スリープモード時、第２スリープモード時における第１記憶部３０ａの書換回数を示す。同様に、書換回数Ｆｂ１、Ｆｂ２、Ｆｂ３は、それぞれ、通常モード時、第１スリープモード時、第２スリープモード時における第１記憶部３０ｂの書換回数を示す。同様に、書換回数Ｆｃ１、Ｆｃ２、Ｆｃ３は、それぞれ、通常モード時、第１スリープモード時、第２スリープモード時における第１記憶部３０ｃの書換回数を示す。
【００５８】
合算値Ｆ１は、書換回数Ｆａ１、Ｆａ２およびＦａ３の合算値を示す。合算値Ｆ２は、書換回数Ｆｂ１、Ｆｂ２およびＦｂ３の合算値を示す。合算値Ｆ３は、書換回数Ｆｃ１、Ｆｃ２およびＦｃ３の合算値を示す。
【００５９】
第１寿命値ＤＦ１は、第１記憶部３０ａの第１寿命値を示す。第１寿命値ＤＦ２は、第１記憶部３０ｂの第１寿命値を示す。第１寿命値ＤＦ３は、第１記憶部３０ｃの第１寿命値を示す。
【００６０】
故障予測情報Ｈ１およびＨ２は、第２記憶部５０の故障予測情報を示す。第２寿命値ＤＨ１およびＤＨ２は、第２記憶部５０の寿命値を示す。
【００６１】
電源回路２０ａのコンデンサー寿命値ＤＣ１の算出について説明する。制御部４０は、複数の動作モードの各々に対して、第１記憶部３０ａが換算動作時間Ｃを記憶するように第１記憶部３０ａを制御する。具体的には、通常モード、第１スリープモード時および第２スリープモードの各々に対して、第１記憶部３０ａが換算動作時間Ｃａ１、Ｃａ２およびＣａ３を記憶するように第１記憶部３０ａを制御する。
【００６２】
制御部４０は、換算動作時間Ｃａ１、Ｃａ２およびＣａ３を合算することによって、全てのモードの換算動作時間が合算された合算値Ｃ１を算出する。制御部４０は、コンデンサー２２の定格寿命値から合算値Ｃ１を減算することによって、コンデンサー寿命値ＤＣ１を算出する。
【００６３】
同様に、制御部４０は、電源回路２０ｂのコンデンサー寿命値ＤＣ２および電源回路２０ｃのコンデンサー寿命値ＤＣ３を算出する。制御部４０は、コンデンサー寿命値ＤＣ１、コンデンサー寿命値ＤＣ２およびコンデンサー寿命値ＤＣ３を第１記憶部３０ａが記憶するように制御する。このように、制御部４０は、複数の電源回路２０の各々に対してコンデンサー寿命値ＤＣを算出する。
【００６４】
続いて、第１記憶部３０ａの第１寿命値ＤＦ１の算出について説明する。制御部４０は、複数の動作モードの各々に対して、第１記憶部３０ａが書換回数Ｆを記憶するように第１記憶部３０ａを制御する。具体的には、通常モード、第１スリープモード時および第２スリープモードの各々に対して、第１記憶部３０ａが書換回数Ｆａ１、Ｆａ２およびＦａ３を記憶するように第１記憶部３０ａを制御する。
【００６５】
制御部４０は、書換回数Ｆａ１、Ｆａ２およびＦａ３を合算することによって、全てのモードの書換回数が合算された合算値Ｆ１を算出する。制御部４０は、フラッシュメモリーの定格書換回数から合算値Ｆ１を減算することによって、第１寿命値ＤＦ１を算出する。
【００６６】
同様に、制御部４０は、第１記憶部３０ｂの第１寿命値ＤＦ２および第１記憶部３０ｃの第１寿命値ＤＦ３を算出する。制御部４０は、第１寿命値ＤＦ１、第１寿命値ＤＦ２、第１寿命値ＤＦ３を第１記憶部３０ａが記憶するように制御する。このように、制御部４０は、複数の第１記憶部３０の各々に対して第１寿命値ＤＦを算出する。
【００６７】
第２寿命値ＤＨ１および第２寿命値ＤＨ２の算出については、実施形態１と同じである。
【００６８】
以上、図５および図６を参照して説明したように、電源装置１００においてコントローラー基板１０は、複数の電源回路２０を備える。制御部４０は、複数の電源回路２０の各々に対してコンデンサー寿命値ＤＣを算出する。したがって、電源回路２０毎にコンデンサー寿命値を認識することができる。その結果、コンデンサー寿命値が少ない電源回路２０を交換することによって、装置をリユース品として再出荷可能にできる。
【００６９】
また、電源装置１００においてコントローラー基板１０は、複数の第１記憶部を含む。制御部４０は、複数の第１記憶部３０の各々に対して第１寿命値ＤＦを算出する。したがって、第１記憶部３０毎に第１寿命値ＤＦを認識することができる。その結果、第１寿命値ＤＦが残り少ない第１記憶部３０を交換することによって、装置をリユース品として再出荷可能にできる。
【００７０】
［実施形態３］
図１、図５および図７を参照して、本発明の実施形態３に係る画像形成装置２００を説明する。図７は、本発明の実施形態３に係る画像形成装置２００を示す模式図である。画像形成装置２００は、複写機、プリンター、ファクシミリまたはこれらの機能を兼ね備えた複合機であり得る。
【００７１】
画像形成装置２００は、電源装置１００と画像読取部８０と画像形成部９０とを備える。画像形成部９０は、定着装置１１０、給紙カセット１２０、作像部１３０、トナー補給装置１４０、用紙排出部１５０および用紙搬送部１６０を有している。画像形成部９０は用紙Ｓ（被記録媒体）に画像を形成する。電源装置１００は、図１または図５を参照して説明した電源装置１００に対応している。電源装置１００は、電圧を変換し、画像読取部８０および画像形成部９０に供給する。
【００７２】
給紙カセット１２０には、印刷用の用紙Ｓが収容されている。印刷を行う際、給紙カセット１２０内の用紙Ｓは、作像部１３０と定着装置１１０とを経由して用紙排出部１５０から排出されるように、用紙搬送部１６０によって搬送される。
【００７３】
作像部１３０は、トナー像を用紙Ｓに形成する。作像部１３０には、感光体１３１と現像装置１３２と転写装置１３３とが含まれている。
【００７４】
感光体１３１には、例えば、レーザーによって静電潜像が形成される。このレーザーは、画像読取部８０で生成された原稿画像の電子信号に基づいて照射される。現像装置１３２は現像ローラー１２１を有している。現像ローラー１２１は、感光体１３１にトナーを供給して静電潜像を現像させることで、感光体１３１にトナー像を形成する。トナーは、トナー補給装置１４０から現像装置１３２へ補給される。
【００７５】
転写装置１３３は、感光体１３１に形成されたトナー像を用紙Ｓに転写する。
【００７６】
定着装置１１０では、定着部材１１１と加圧部材１１２とによって用紙Ｓを加熱および加圧することで、作像部１３０において形成された未定着のトナー像を溶融させて用紙Ｓに定着させる。
【００７７】
以上、図面（図１〜図７）を参照しながら本発明の実施形態を説明した。但し、本発明は、上記の実施形態に限られるものではなく、その要旨を逸脱しない範囲で種々の態様において実施することが可能である（例えば、下記に示す（１）〜（３））。図面は、理解しやすくするために、それぞれの構成要素を主体に模式的に示しており、図示された各構成要素の厚み、長さ、個数等は、図面作成の都合上から実際とは異なる。また、上記の実施形態で示す各構成要素の材質や形状、寸法等は一例であって、特に限定されるものではなく、本発明の効果から実質的に逸脱しない範囲で種々の変更が可能である。
【００７８】
（１）実施形態１および実施形態２では、電源装置１００においてコントローラー基板１０は、電源回路２０を１つまたは３つ有していたが、これに限定されない。例えば、コントローラー基板１０は、電源回路２０を２つまたは４つ以上有していてもよい。
【００７９】
（２）実施形態１および実施形態２では、電源装置１００においてコントローラー基板１０は、第１記憶部３０を１つまたは３つ備えていたが、これに限定されない。例えば、コントローラー基板１０は、第１記憶部３０を２つまたは４つ以上有していてもよい。
【００８０】
（３）実施形態１および実施形態２では、第１記憶部３０は、フラッシュメモリーであったが、不揮発性メモリーである限りこれに限定されない。例えば、第１記憶部３０は、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ）でもよい。
【符号の説明】
【００８１】
１０      コントローラー基板
２０      電源回路
２２      コンデンサー
３０      第１記憶部
４０      制御部
５０      第２記憶部
１００    電源装置
２００    画像形成装置
ＤＣ      コンデンサー寿命値
ＤＦ      第１寿命値
ＤＨ１    第２寿命値
ＤＨ２    第２寿命値
【図１】
2016218095.tif 000003
【図２】
2016218095.tif 000004
【図３】
2016218095.tif 000005
【図４】
2016218095.tif 000006
【図５】
2016218095.tif 000007
【図６】
2016218095.tif 000008
【図７】
2016218095.tif 000009